(57)【要約】【課題】  小型で、かつコモンモードノイズをより低減できる零相リアクトル、及びこれを用いたインバータ装置を提供する。【解決手段】  環状コアと、前記環状コアの内部を貫通する第１、第２、第３の導線を有する零相リアクトルであって、  前記環状コアは、コアの高さ方向へ見て、偏平状で、かつ、端部よりも中央部の幅が広く、  前記第１および第２の導線は、前記端部側に配置され、  前記第３の導線は、前記中央部に配置されることを特徴とする。【選択図】        図１
2018088437.tif 000002
【特許請求の範囲】
【請求項１】
環状コアと、前記環状コアの内部を貫通する第１、第２、第３の導線を有する零相リアクトルであって、
前記環状コアは、コアの高さ方向へ見て、偏平状で、かつ、端部よりも中央部の幅が広く、
前記第１および第２の導線は、前記端部側に配置され、
前記第３の導線は、前記中央部に配置されることを特徴とする零相リアクトル。
【請求項２】
前記偏平状の環状コアの短手方向における、前記第１、第２、第３の導線の一方の端部から前記環状コアの内径面までの距離をａ１，ｂ１，ｃ１、前記第１、第２、第３の導線の他方の端部から前記環状コアの内径面までの距離をａ２，ｂ２，ｃ２とした場合、下記式を満足するように、前記第１〜第３の導線が配置されることを特徴とする請求項１の零相リアクトル。
（ａ１＋ａ２）＝（ｂ１＋ｂ２）＜（ｃ１＋ｃ２）
【請求項３】
前記環状コアは、コアの高さ方向へ見て、前記端部の間の少なくとも一部が直線状に形成されていることを特徴とする請求項１又は２に記載の零相リアクトル。
【請求項４】
前記環状コアは、コアの高さ方向へ見て、菱形又は２等辺三角形の形状であることを特徴とする請求項３に記載の零相リアクトル。
【請求項５】
前記環状コアは、アモルファス金属薄帯またはナノ結晶金属薄帯を巻回したものであることを特徴とする請求項１〜４の何れかに記載の零相リアクトル。
【請求項６】
請求項１〜５のいずれかに記載の零相リアクトルと、３相インバータと、負荷体を備え、前記第１〜第３の導線は、一方の端部が３相インバータに接続され、他方の端部が負荷体に接続されていることを特徴とするインバータ装置。
【請求項７】
前記負荷体は電動機であることを特徴とする請求項６に記載のインバータ装置。
【発明の詳細な説明】
【技術分野】
【０００１】
本発明は、三相インバータと電動機等の負荷体の間に配置される零相リアクトル、及びそれを用いたインバータ装置に関する。
【背景技術】
【０００２】
電動機の可変速装置、無停電電源、あるいは直流電源装置などの電力変換装置として、インバータを用いたインバータ装置が用いられている。図８は、インバータ装置の概略を示す図である。１は電源、２はインバータ、４は電動機等の負荷体である。インバータ２は、電源１から得た電力に対し、直流から交流に変換したり、電源周波数を変換する等の電力変換を行う。変換された電力は電動機等の負荷体４を駆動させる。
【０００３】
インバータは、半導体スイッチ素子のスイッチング動作により高周波ノイズが発生し、電源ラインを介して同一の電源ラインに接続される他の電子機器に障害を与える問題や、空間を介して輻射ノイズとして周辺の電子機器に障害を与えてしまう問題がある。さらにSiC素子等の優れたパワー半導体の開発に伴い、スイッチング動作の速度が速まり、高周波ノイズはより高周波側に、強く発生する傾向にある。
【０００４】
このようなスイッチング動作を行う装置では、電源ライン側に伝搬される高周波ノイズと空間に放出される輻射ノイズを抑制する必要がある。そこで図８に示すように、インバータ２と負荷体４の間に、コモンモードチョークコイルの１種である零相リアクトル３を配置する対策が取られる。
【０００５】
零相リアクトルは、環状コアと、環状コアの内部を貫通、またはコアに巻かれる導線を有する。零相リアクトルは主に単相と３相があり、３相のリアクトルは第１〜第３の導線が用いられる。３相の零相リアクトルは、第１〜第３の導線に、周波数がそれぞれ１２０°異なる交流電流が流れる。第１〜第３の導線とコアが磁気的に結合してコアの磁路方向に磁束を発生させるが、ノーマルモード(漏洩電流が無い状態)では、第１〜第３の導線により発生する磁束は相殺されて流れないように設計される。
【０００６】
また、零相リアクトルは、電動機等の大きな出力を駆動させる負荷体とインバータの間で使用される場合では、大電流化への対応が求められる。零相リアクトルは、一般的にはリング形状の軟磁性材料のコアに導線を巻きつける構成がとられるが、大電流化に対応させる場合は、図９に示すように、導線をコアに巻かずにコアの内径側を貫通させる、所謂、貫通型が採用されることがある。貫通型にすることで、電流による導線の発熱を抑制でき、その結果、コアの磁気特性の温度変化を抑制してフィルタの安定性を高めることができる。また、導線とその被覆物の破損を抑制できる。導線は、被服のあるより線等が一般的であるが、例えば、銅板等からなる断面が矩形状の導線等も用いられる。
【０００７】
さらに、零相リアクトルは、場所の制約等から、コアの幅を小さくすることもあり、その場合は、コアの軸方向（高さ方向）に見て、レーストラック形状、矩形状のような、磁路が直線状かつ平行に形成されたものが用いられている。
【０００８】
例えば、特許文献１では、閉磁路を構成する矩形状の環状コアを用い、３相の導線を貫通型で用いた形態が開示されている。また、特許文献１は、閉磁路を構成する矩形状の環状コアは、さらに、一方の長辺から他方の長辺に向って延びる２つの脚部を備えており、３本の導線は、一方のコアの短辺と脚部との間、他方のコアの短辺と脚部との間、そして、２つの脚部間に、挿通されているものが開示されている。これにより、ノーマルモード用リアクトルの機能とコモンモード用リアクトルの機能を併せ持つリアクトルが提供できると記載されている。
【先行技術文献】
【特許文献】
【０００９】
【特許文献１】特開２００９−１３５２７１号公報
【発明の概要】
【発明が解決しようとする課題】
【００１０】
上記のレーストラック形状、矩形状のコアを用いた零相リアクトルは、小型化のために、導線と環状コアが、絶縁が可能な範囲で、極力間隔を狭めて配置される。そのため、これらの環状コアを用いた零相リアクトルは、図９に示すように、三本の導線を内径側で長手方向（矢印線Ｌ方向）に横一列に配置することが一般的である。コアに発生する磁束を相殺させるため、三本の配線は等間隔に配置されることが多い。
従来の零相リアクトルは、寸法上の制約から、偏平状の環状コアの短手方向（図９の矢印線Ｓ方向）における、第１〜第３の導線の一方の端部から環状コアの内径面までの距離をａ１，ｂ１，ｃ１、第１〜第３の導線の他方の端部から環状コアの内径面までの距離をａ２，ｂ２，ｃ２とした場合、ａ１＝ｂ１＝ｃ１，ａ２＝ｂ２＝ｃ２となるように、同じ距離で配置していた。しかしながら、この場合は、以下のような問題が生じる。
【００１１】
零相リアクトルは、前記のようにそれぞれの導線を通して負荷に流れる主電流により発生するコアの磁束が相殺されなければならない。図７に示すように、コアの端部に配置した導線６ａは、コアの上下、及びコアの円弧部分と磁気的に十分に結合し、コアに磁束を発生させるが、図面の右側ではコアと距離が長いために結合が低く、漏れ磁束８が発生する。同様に、右側に配置した導線６ｂも左右対称に同様の現象が起こる。そのため、導線６ａと導線６ｂのコアとの結合度（コアへ発生させる磁束の大きさ）はほぼ同じとなる。しかしながら、中央に配置された導線６ｃは、上下のコアとの距離は導線６ａ，６ｂと同じであるが、端部の円弧部との距離は比較的に短い。そのため、導線６ｃのコアとの結合度は、導線６ａ，６ｂの結合度を上回ってしまい、その結果、それぞれの導線により発生するコアの磁束が相殺されずらく、零相リアクトルを挿入した際のノイズ低減効果が十分には期待できない。また、磁束を相殺させる以外にも、漏れインダクタンスのバランスを取る必要があるが、やはり、レーストラック形状、矩形状のコアでは難しい。
【００１２】
よって本発明は、小型で、かつコモンモードノイズをより低減できる零相リアクトル、及びこれを用いたインバータ装置を提供することを目的とする。
【課題を解決するための手段】
【００１３】
本発明は、環状コアと、前記環状コアの内部を貫通する第１、第２、第３の導線を有する零相リアクトルであって、前記環状コアは、コアの高さ方向へ見て、偏平状で、かつ、端部よりも中央部の幅が広く、前記第１および第２の導線は、前記端部側に配置され、前記第３の導線は、前記中央部に配置されることを特徴とする。
前記偏平状の環状コアの短手方向における、前記第１、第２、第３の導線の一方の端部から前記環状コアの内径面までの距離をａ１，ｂ１，ｃ１、前記第１、第２、第３の導線の他方の端部から前記環状コアの内径面までの距離をａ２，ｂ２，ｃ２とした場合、下記式を満足するように、前記第１〜第３の導線が配置されることが好ましい。（ａ１＋ａ２）＝（ｂ１＋ｂ２）＜（ｃ１＋ｃ２）
前記環状コアは、コアの高さ方向へ見て、前記端部の間の少なくとも一部が直線状に形成されている形状とすることができる。例えば、前記環状コアは、コアの高さ方向へ見て、菱形又は２等辺三角形の形状とすることができる。
前記環状コアは、アモルファス金属薄帯またはナノ結晶金属薄帯を巻回して製造したものを用いることができる。
これらの零相リアクトルと、３相インバータと、負荷体を備え、前記第１〜第３の導線は、一方の端部が３相インバータに接続され、他方の端部が負荷体に接続されるインバータ装置を利用することができる。前記負荷体は電動機を用いることができる。
【発明の効果】
【００１４】
本発明の零相リアクトルは、小型で、かつコモンモードノイズをより低減できる。そのため、より安定した動作をインバータ装置が実現できる。
【図面の簡単な説明】
【００１５】
【図１】本発明の零相リアクトルにおける、環状コアの形状と第１〜第３の導線の配置の関係を示す図である。
【図２】零相リアクトルを用ずに測定した漏洩電流（コモンモード電流）の測定結果である。
【図３】図６に示す従来の零相リアクトルを用いた場合の漏洩電流（コモンモード電流）の測定結果である。
【図４】図１に示す本発明の零相リアクトルを用いた場合の漏洩電流（コモンモード電流）の測定結果である。
【図５】本発明の零相リアクトルであって、別の環状コアの形状と第１〜第３の導線の配置の関係を示す図である。
【図６】従来の零相リアクトルの環状コアの形状と第１〜第３の導線の配置の関係を示す図である。
【図７】従来の零相リアクトルにおける、導線６ａと環状コア５に発生する磁束の関係を説明するための図である。
【図８】インバータ装置の概略を説明するための図である。
【図９】従来の零相リアクトルの斜視図である。
【００１６】
本発明の零相リアクトルの１実施形態を図1に示す。本発明は、環状コア５と、前記環状コアの内部を貫通する第１、第２、第３の導線６ａ，６ｂ，６ｃを有する零相リアクトルに関するものであって、前記環状コア５は、コアの高さ方向へ見て、偏平状で、かつ、端部よりも中央部の幅が広く、前記第１および第２の導線６ａ，６ｂは、前記端部側に配置され、前記第３の導線６ｃは、前記中央部に配置されることを特徴とするものである。
中央部の幅が広いので、中央部に配置する第３の導線６ｃと環状コア５の結合を小さくできる。よって、この第３の導線６ｃと環状コア５の結合度は、端部に配置した第１と第２の導線６ａ、６ｂと環状コア５の結合度に近づき、３本の導線により発生するコアの磁束が相殺されやすい。
【００１７】
前記偏平状の環状コアの短手方向における、前記第１〜第３の導線の一方の端部から前記環状コアの内径面までの距離をａ１，ｂ１，ｃ１、前記第１〜第３の導線の他方の端部から前記環状コアの内径面までの距離をａ２，ｂ２，ｃ２とした場合、次式を満足するように、前記第１〜第３の導線が配置されることが好ましい。（ａ１＋ａ２）＝（ｂ１＋ｂ２）＜（ｃ１＋ｃ２）
なお、偏平状の環状コアの長手方向とは、第１と第３の導線を結んだ方向である。短手方向とは、長手方向の直行方向である。
また、導線と環状コアとの距離は、導線の断面における重心位置を通過し、かつ環状コアの短手方向に延びる線上での距離とする。
好ましくは上記式が、１．２×（ａ１＋ａ２）＝１．２×（ｂ１＋ｂ２）＜（ｃ１＋ｃ２）となる形態が好ましく、さらには、１．５×（ａ１＋ａ２）＝１．５×（ｂ１＋ｂ２）＜（ｃ１＋ｃ２）となる形態が好ましい。
【００１８】
第１〜第３の導線は、断面が矩形状であるものを用いることができる。矩形状とすることで、偏平状の環状コアを用いても、大電流を流すのに十分な断面積を確保でき、電動機等の大出力の負荷体を駆動させるための零相リアクトルとして利用できる。
【００１９】
環状コアは、コアの高さ方向へ見て、端部の間の少なくとも一部が直線状に形成されていることが好ましい。部分的に直線状にすることで、形状的に加工しやすくなる。
また、アモルファス金属薄帯またはナノ結晶金属薄帯を巻回したコアを用いる場合には、直線部分を持つ形状とすることにより、巻回しの応力を緩和でき、特性も向上することができる。また、円弧形状とするよりもコアの体積を減らせるので、小型化や軽量化、原料費の削減等を図ることができる。
【００２０】
環状コアは、コアの高さ方向へ見て、菱形又は２等辺三角形の形状であることが好ましい。偏平状の短手方向の幅の寸法を小さくできるので、零相リアクトルの配置スペースを小さくできる。偏平状の短手方向の最大幅に対し、長手方向の長さは２倍以上、さらには３倍以上とすることができる。
【００２１】
環状コアは、アモルファス金属薄帯またはナノ結晶金属薄帯を巻回したものを用いることができる。これらの金属薄帯は、厚さが４０μｍ以下のものが好ましく、さらには２０μｍ以下のものが好ましい。４０μｍ以下であれば、薄帯を巻き付けても、端部での曲率を十分小さくでき、直線部を長くとりやすい。これにより、巻回しの応力を緩和でき、特性も向上することができる。また、円弧形状とするよりもコアの体積を減らせるので、小型化や軽量化、原料費の削減等を図ることができる。
【００２２】
アモルファス金属薄帯は、組成が、Ｆｅ、Ｓｉ、及びＢの総含有量を１００原子％としたときに、Ｆｅの含有量が７８原子％〜８３原子％であり、Ｓｉの含有量が３原子％〜１０原子％であり、Ｂの含有量が１０原子％〜１５原子％であり、残部が不純物からなるＦｅ基アモルファス合金を用いることができる。
Ｆｅの含有量が７８原子％以上であると、合金リボンの飽和磁束密度がより高くなるので、合金リボンを用いて製造される磁心のサイズの増加又は重量の増加がより抑制される。Ｆｅの含有量が８３原子％以下であると、合金のキュリー点の低下及び結晶化温度の低下がより抑制されるので、磁心の磁気特性の安定性がより向上する。
Ｆｅ基アモルファス合金は、更に、合金溶湯の原料となる純鉄等に含まれる元素である、Ｃ（炭素）を含んでいてもよい。Ｃ（炭素）の含有量は０．５原子％以下とすることが好ましい。Ｃ（炭素）の含有量が０．５原子％以下であると、合金リボンの脆化がより抑制される。Ｃ（炭素）の含有量としては、０．１原子％〜０．５原子％が好ましい。Ｃ（炭素）の含有量が０．１原子％以上であると、合金溶湯及び合金リボンの生産性に優れる。
【００２３】
また、ナノ結晶金属薄帯として、例えば、一般式：（Ｆｅ１−ａＭａ）１００−ｘ−ｙ−ｚ−α−β−γＣｕｘＳｉｙＢｚＭ’αＭ”βＸγ（原子％）（ただし、ＭはＣｏ及び／又はＮｉであり、Ｍ’はＮｂ，Ｍｏ，Ｔａ，Ｔｉ，Ｚｒ，Ｈｆ，Ｖ，Ｃｒ，Ｍｎ及びＷからなる群から選ばれた少なくとも１種の元素、Ｍ”はＡ１，白金族元素，Ｓｃ，希土類元素，Ｚｎ，Ｓｎ，Ｒｅからなる群から選ばれた少なくとも１種の元素、ＸはＣ、Ｇｅ、Ｐ、Ｇａ、Ｓｂ、Ｉｎ、Ｂｅ、Ａｓからなる群から選ばれた少なくとも１種の元素、ＸはＣ，Ｇｅ，Ｐ，Ｇａ，Ｓｂ，Ｉｎ，Ａｓ，Ｂｅからなる群から選ばれた少なくとも１種の元素であり、ａ，ｘ，ｙ，ｚ，α，β及びγはそれぞれ０≦ａ≦０．５，０．１≦ｘ≦３，０≦ｙ≦３０，０≦ｚ≦２５，５≦ｙ＋ｚ≦３０、０≦α≦２０，０≦β≦２０及び０≦γ≦２０を満たす。）により表される組成の合金のものを使用することができる。
【００２４】
零相リアクトルと、３相インバータと、負荷体を、第１〜第３の導線の一方の端部を３相インバータに接続し、他方の端部を負荷体に接続し、インバータ装置として使用できる。特に３相対称交流用の負荷体を用いるものとして好ましい。負荷体は電動機とすることができる。また、３相インバータと負荷体を中性線で接続してもよい。
【発明を実施するための形態】
【００２５】
以下本発明の実施例について詳細に説明するが、本発明はこれら実施例に限るものではない。
【００２６】
先ず、図８に示すインバータ装置を用意した。負荷体４として、３相ＡＣ２００Ｖ、出力３．７ｋＷの３相誘導電動機を用いた。インバータ２として、３相ＡＣ２００Ｖ入力、定格出力容量６．６ｋＶＡのものを用いた。インバータ２は絶縁ゲートバイポーラトランジスタを使用したＩＰＭ（ｌｎｔｅｌｌｉｇｅｎｔ Ｐｏｗｅｒ Ｍｏｄｕｌｅ）により基本周波数１５ｋＨｚのスイッチング動作を行った。また、インバータ２とＡＣ電源１の間にラインノイズフィルタ（図示せず）を挿入した。
まず、零相リアクトルを用いない状態で、コモンモード電流の測定を行った。コモンモード電流の測定は、第１〜第３の導線を束ね、その電流を電流プローブを用いて測定した。図２はその測定結果である。コモンモード電流は最大で０．６５Ａを超えた。なお、横軸の「Ｅ−０．６」は、「１０−６」を意味する。
【００２７】
（参考例）
図６に示す形態の従来の零相リアクトル３を、インバータ２と負荷体４の間に挿入し、同様にコモンモード電流の測定を行った。環状コア５は、コアの高さ方向へ見て、レーストラック形状であり、日立金属社製のナノ結晶材料（製品名：ファインメット＿ＦＴ３）を、厚さ１０ｍｍになるまで巻回して製造した。コアの寸法は、長手方向の外形が１２０ｍｍ、内径が１００ｍｍ、短手方向の外径が３３ｍｍ、内径が１３ｍｍのレーストラック形状とした。リボン幅（コアの高さ）は３０ｍｍである。また、導線６ａ，６ｂ，６ｃは、断面が３×１０ｍｍの矩形状の銅線を用いた。
偏平状の環状コアの短手方向における、第１〜第３の導線の一方の端部から環状コアの内径面までの距離ａ１，ｂ１，ｃ１は全て５ｍｍである。また、第１〜第３の導線の他方の端部から環状コアの内径面までの距離ａ２，ｂ２，ｃ２も全て５ｍｍである。
図３は、図６に示す零相リアクトルを用いた場合の、コモンモード電流の測定結果である。コモンモード電流は最大で０．６２Ａである。
【００２８】
（実施例１）
参考例において、図６の零相リアクトルに替えて、図１に示す本発明の零相リアクトルを用いた。
環状コア５は、日立金属社製のナノ結晶材料（製品名：ファインメットＦＴ３）を厚さが１０ｍｍになるまで巻回して製造した。コアは、コアの高さ方向へ見て、略菱形の形状とし、その寸法は、長手方向（紙面横方向）の外形が１２０ｍｍ、内径が１００ｍｍ、環状コアの短手方向（紙面縦方向）において、中央部の外径幅は４３ｍｍ、内径幅は２３ｍｍ、円弧部を含めない菱形の端部での外径幅は３３ｍｍ、内径幅は１３ｍｍである。リボン幅（コアの高さ）は３０ｍｍとした。導線６ａ，６ｂ，６ｃは図６の零相リアクトルと同じものを用いた。
偏平状の環状コアの短手方向における、第１〜第３の導線の一方の端部から環状コアの内径面までの距離ａ１，ｂ１，ｃ１は、ａ１＝６ｍｍ、ｂ１＝６ｍｍ、ｃ１＝１０ｍｍである。また、第１〜第３の導線の他方の端部から環状コアの内径面までの距離ａ２，ｂ２，ｃ２も、ａ２＝６ｍｍ、ｂ２＝６ｍｍ、ｃ２＝１０ｍｍである。
図４は、図１に示す零相リアクトルを用いた場合の、コモンモード電流の測定結果である。コモンモード電流の最大値は、参考例で測定された数値よりも小さい値（０．４４Ａ）であった。
【００２９】
（実施例２）
実施例１において、図１の零相リアクトルに替えて、図５に示す零相リアクトルを用いた。
環状コア５は、日立金属社製のナノ結晶材料（製品名：ファインメットＦＴ３）を厚さが１０ｍｍになるまで巻回して製造した。環状コアは、コアの高さ方向へ見て、略二等辺三角形の形状とし、その寸法は、長手方向の外形が１２０ｍｍ、内径が１００ｍｍ、短手方向の中央部での外径幅は４３ｍｍ、内径幅は２３ｍｍ、端部（端部の円弧部を含めない菱形の端部）の外径幅は３３ｍｍ、内径幅は１３ｍｍ、リボン幅（コア高さ）が３０ｍｍとした。導線６ａ，６ｂ，６ｃは図６のコアと同じものを用いた。
偏平状の環状コアの短手方向における、第１〜第３の導線の一方の端部から環状コアの内径面までの距離ａ１，ｂ１，ｃ１は、ａ１＝５ｍｍ、ｂ１＝５ｍｍ、ｃ１＝１０ｍｍである。また、第１〜第３の導線の他方の端部から環状コアの内径面までの距離ａ２，ｂ２，ｃ２は、ａ２＝７ｍｍ、ｂ２＝７ｍｍ、ｃ２＝１０ｍｍである。
同様にコモンモード電流の測定を行ったところ、コモンモード電流の最大値は、参考例で測定された数値よりも小さい値であった。
【００３０】
（実施例３）
図５に示す零相リアクトルにおいて、第３の導線６ｃの位置を変え、それ以外は実施例２と同様にして、コモンモード電流の測定を行った。
偏平状の環状コアの短手方向における、第３の導線の一方の端部から環状コアの内径面までの距離ｃ１を５ｍｍとした。また、第３の導線の他方の端部から環状コアの内径面までの距離ｃ２を１５ｍｍとした。
同様にコモンモード電流の測定を行ったところ、コモンモード電流の最大値は、参考例で測定された数値よりも小さい値であった。
【００３１】
（実施例４）
実施例１において、３相インバータと負荷体を、中性線（第４の導体）で接続し、中性線もコア内を貫通させた。中性線は、各導体の位置関係を極力線対称にするために、中央の第３の導体６ｃの右横に配置して、コアを貫通させた。
同様にコモンモード電流の測定を行ったところ、コモンモード電流の最大値は、参考例で測定された数値よりも小さい値であった。
【符号の説明】
【００３２】
１：電源、２：インバータ、３：零相リアクトル、４：負荷体、５：環状コア、６ａ：第１の導線，６ｂ：第２の導線，６ｃ：第３の導線、７：コアの直線部、８：漏れ磁束
【図１】
2018088437.tif 000003
【図２】
2018088437.tif 000004
【図３】
2018088437.tif 000005
【図４】
2018088437.tif 000006
【図５】
2018088437.tif 000007
【図６】
2018088437.tif 000008
【図７】
2018088437.tif 000009
【図８】
2018088437.tif 000010
【図９】
2018088437.tif 000011